(57)【要約】【課題】  小型化が可能で、良好な接触状態が得られるコネクタ１を提供すること。【解決手段】  コンタクト１０とハウジング３０を具備し、コンタクト１０が保持部１１、接触部１２及び弾性変形部１３を具備し、弾性変形部１３が、保持部１１から接触部１２までの間を第１湾曲部１４、連結部２０及び第２湾曲部１５で順次連結した略Ｓ字状に形成されたコネクタ１において、弾性変形部１３の連結部２０に変位規制用突起２２，２２を形成し、コンタクト収容室３１の内壁面に変位規制用突起２２，２２に係合する変位規制用係合溝３２，３２を形成する。コンタクト１０とバッテリーパック５０の相対的な押圧による接触部１２、５１の弾性接触時に、弾性変形部１３の変位を規制し、第２湾曲部１５の変位量を従来例より制限して小型化を可能とし、接触部１２の変位量を従来例より大きくして接触部１２，５１の摺動距離Ｌを長くする。【選択図】  図３
2005129374.tif 000002
【特許請求の範囲】
【請求項１】
コンタクト（１０）と、コンタクト（１０）を収容するコンタクト収容室（３１）が形成されたハウジング（３０）とを具備し、コンタクト（１０）には、コンタクト（１０）をハウジング（３０）に保持する保持部（１１）と、コンタクト収容室（３１）の前面側開口部（３７）から突出する接触部（１２）と、保持部（１１）と接触部（１２）の間を連結する弾性変形可能な弾性変形部（１３）とが設けられ、弾性変形部（１３）は、保持部（１１）から接触部（１２）までの間を第１湾曲部（１４）、連結部（２０）及び第２湾曲部（１５）で順次連結した略Ｓ字状に形成され、接触部（１２）と相手側電気機器（５０）の接触部（５１）との相対的な押圧によって、弾性変形部（１３）を撓ませて接触部（１２）と接触部（５１）を弾性接触させるコネクタであって、弾性変形部（１３）の連結部（２０）の両側に、前面側から見てコンタクト収容室（３１）の左右の内壁面側へ突出する変位規制用突起（２２，２２）を突設し、コンタクト収容室（３１）の左右の内壁面に、変位規制用突起（２２，２２）に係合して弾性変形部（１３）の変位を規則する変位規制用係合部（３２，３２）を形成したことを特徴とするコネクタ。
【請求項２】
弾性変形部（１３）の変位規制用突起（２２，２２）は、連結部（２０）の両側であって左右対称な位置に突設された一対の変位規制用突起からなり、変位規制用係合部（３２，３２）は、コンタクト収容室（３１）の対向する左右の内壁面の変位規制用突起（２２，２２）に対応した部分に形成された一対の変位規制用係合溝からなることを特徴とする請求項１記載のコネクタ。
【請求項３】
弾性変形部（１３）の第２湾曲部（１５）の折曲部両側片は、その開口部分の広がりが折曲部分の広がりより大きく形成されていることを特徴とする請求項１又は２記載のコネクタ。
【発明の詳細な説明】
【技術分野】
【０００１】
本発明は、デジタルカメラや携帯電話機などの電気機器に取り付けられて、バッテリーパックのような相手側電気機器との接続用に用いられるコネクタに関するものである。
【背景技術】
【０００２】
この種のコネクタ１００は、従来、図４に示すように構成されていた。
すなわち、合成樹脂で成形されたハウジング１０２と、このハウジング１０２のコンタクトの収容室１０４に収容されたコンタクト１０６とを具備し、コンタクト１０６が、ハウジング１０２に保持された保持部１０８と、デジタルカメラのプリント配線基板Ｐの配線パターンに半田付などで接続される接続部１１０と、バッテリーパック２００の電極部２０２の押圧で電極部２０２と接触する接触部１１２と、保持部１０８と接触部１１２の間を連結する弾性変形可能な弾性変形部１１４とを具備し、弾性変形部１１４が、保持部１０８との連結側を第１湾曲部１１６とし接触部１１２との連結側を第２湾曲部１１８とした略Ｓ字状に形成されていた。
そして、バッテリーパック２００を回動させながらコンタクト１０６に押し付け、電極部２０２を接触部１１２に弾性接触させることによって、バッテリーパック２００とデジタルカメラを電気的に接続し、バッテリーパック２００からデジタルカメラへ電源を供給していた。
【発明の開示】
【発明が解決しようとする課題】
【０００３】
しかしながら、図４に示した従来例では、バッテリーパック２００を回動させながらコンタクト１０６に押し付けて電極部２０２を接触部１１２に弾性接触させた際に、弾性変形部１１４に水平方向及び垂直方向の力が作用し、弾性変形部１１４が同図に二点鎖線で示すように変形する。
この変形によって弾性変形部１１４の第２湾曲部１１８がプリント配線基板Ｐ側へ変位し、基板上の配線パターンと電気的に接触するおそれがあるため、第２湾曲部１１８とプリント配線基板Ｐの間に十分な間隔を設ける必要があり、コネクタ全体として小型化できないという問題点があった。
【０００４】
上述の問題点を解決するため、弾性変形部１１４の第２湾曲部１１８とプリント配線基板Ｐの間に絶縁部材を設けることも考えられるが、部品点数が増えてコストアップになるという問題点があった。
【０００５】
また、バッテリーパック２００の電極部２０２がコンタクト１０６の接触部１１２に当接してから両者の弾性接触が完了するまでの間に、コンタクト１０６が図４中の実線で示す状態から二点鎖線で示す状態に変形するが、この変形前後における接触部１１２と電極部２０２の摺動距離が短いと、電極部２０２や接触部１１２の表面に付着した塵埃や表面に形成された酸化膜の除去が不十分となり、良好な接触状態が得られないという問題点があった。
【０００６】
本発明は上述の問題点に鑑みてなされたもので、部品点数を増やすことなく小型化が可能で、しかも良好な接触状態が得られるコネクタを提供することを目的とするものである。
【課題を解決するための手段】
【０００７】
請求項１記載の発明は、コンタクトと、このコンタクトを収容するコンタクト収容室が形成されたハウジングとを具備し、前記コンタクトには、前記コンタクトを前記ハウジングに保持する保持部と、前記コンタクト収容室の前面側開口部から突出する接触部と、前記保持部と前記接触部の間を連結する弾性変形可能な弾性変形部とが設けられ、前記弾性変形部は、前記保持部から前記接触部までの間を第１湾曲部、連結部及び第２湾曲部で順次連結した略Ｓ字状に形成され、前記コンタクトの接触部と相手側電気機器の接触部との相対的な押圧によって、前記弾性変形部を撓ませて前記コンタクトと前記相手側電気機器の接触部を弾性接触させるコネクタであって、前記弾性変形部の連結部の両側に、前面側から見て前記コンタクト収容室の左右の内壁面側へ突出する変位規制用突起を突設し、前記コンタクト収容室の左右の内壁面に、前記変位規制用突起に係合して前記弾性変形部の変位を規則する変位規制用係合部を形成したことを特徴とする。
【０００８】
上述の構成において、変位規制用突起が変位規制用係合部に係合して弾性変形部の変位を規制しているので、コンタクトと相手側電気機器の相対的な押圧による接触部の弾性接触時に、第２湾曲部の変位量を従来例より制限できるとともに、接触部の変位量を従来例より大きくできる。このため、弾性変形部の第２湾曲部とハウジングの端面（例えばプリント配線基板面）の間隔を小さくすることができるとともに、コンタクトと相手側電気機器の相対的な押圧による接触部間の摺動距離を長くすることができる。
【０００９】
請求項２記載の発明は、請求項１記載の発明において、弾性変形部の変位規制用突起が、連結部の両側であって左右対称な位置に突設された一対の変位規制用突起からなり、変位規制用係合部が、コンタクト収容室の対向する左右の内壁面の変位規制用突起に対応した部分に形成された一対の変位規制用係合溝からなることを特徴とする。
【００１０】
請求項３記載の発明は、請求項１又は２記載の発明において、弾性変形部の第２湾曲部の折曲部両側片が、開口部分の広がりが折曲部分の広がりより大きく形成されていることを特徴とする、 
【発明の効果】
【００１１】
請求項１記載の発明は、コンタクトとハウジングを具備し、コンタクトが保持部、接触部及び弾性変形部を具備し、弾性変形部が、保持部から接触部までの間を第１湾曲部、連結部及び第２湾曲部で順次連結した略Ｓ字状に形成されたコネクタにおいて、弾性変形部の第１湾曲部と第２湾曲部の間に位置する連結部に変位規制用突起を突設し、コンタクト収容室の左右の内壁面に変位規制用突起に係合する変位規制用係合部を形成し、コンタクトと相手側電気機器の相対的な押圧による接触部の弾性接触時に弾性変形部の変位を規制する構成としたので、第２湾曲部の変位量を従来例より制限するとともに、接触部の変位量を従来例より大きくできる。このため、部品点数を増やすことなく、弾性変形部の第２湾曲部とハウジングの端面（例えばプリント配線基板面）の間隔を小さくして小型化することができるとともに、コンタクトと相手側電気機器の接触部の摺動距離を長くして良好な接触状態を得ることができる。
【００１２】
請求項２記載の発明は、請求項１記載の発明において、弾性変形部の変位規制用突起を、連結部の両側であって左右対称な位置に突設された一対の変位規制用突起とし、変位規制用係合部を、コンタクト収容室の対向する左右の内壁面の変位規制用突起に対応した部分に形成された一対の変位規制用係合溝とする構成としたので、弾性変形部の変位規制をバランスよく行うことができるとともに、コンタクトのハウジングへの組み込み時に変位規制用突起を変位規制用係合溝に容易に係合することができる。
【００１３】
請求項３記載の発明は、請求項１又は２記載の発明において、弾性変形部の第２湾曲部の折曲部両側片が、その開口部分の広がりが折曲部分の広がりより大きく形成されている構成としたので、コネクタの小型化を図りつつ、コンタクトと相手側電気機器の接触部の摺動距離をより長くして良好な接触状態を得ることができる。
【実施例】
【００１４】
図１〜図３は本発明によるコネクタ１の一実施例を示すもので、１０〜１０は厚さが０．１２ｍｍ程度の薄い導電性金属板の打ち抜き、折り曲げ加工等で成形された３個のコンタクト、３０は絶縁性合成樹脂で成形されたコネクタハウジング（以下ハウジングと記述する。）、５０は相手側電気機器の一例としてのバッテリーパック、Ｐは基板上に配線パターンが形成されたプリント配線基板である。
【００１５】
コンタクト１０は、ハウジング３０に保持される略矩形状の保持部１１と、ハウジング３０のコンタクト収容室３１への収容時にコンタクト収容室３１の前面側開口部３７から突出する接触部１２と、保持部１１と接触部１２を連結する弾性変形可能な弾性変形部１３とを具備している。
【００１６】
弾性変形部１３及び接触部１２は、保持部１１より幅の狭い帯状の薄い導電性金属板を折り曲げた形状に形成されている。
弾性変形部１３は、保持部１１から接触部１２までの間を第１湾曲部１４、連結部２０及び第２湾曲部１５で順次連結した略Ｓ字状に形成されている。
第１湾曲部１４は、保持部１１の上端側から略逆Ｕ字状に連設され、その折曲部両側片が略平行に形成されている。
第２湾曲部１５は、第１湾曲部１４の先端側に延伸された連結部２０の先端側から接触部１２側へ略Ｖ字状に連設され、その折曲部両側片が平行でなく、開口部分が折曲部分より広くなるように、折曲部両側片のなす角度θが鋭角に形成されている。すなわち、第２湾曲部１５の折曲部両側片は、その開口部分の広がりが折曲部分の広がりより大きく形成されている。
【００１７】
保持部１１の左端側の一部には、板面が保持部１１の板面に対して略垂直な連結部１６が連設され、この連結部１６の下端側の一部には、下方向へ突出した接続部１７が連設されている。
保持部１１の両側には係止用突起１８，１８、１９，１９が突設されている。
接触部１２の接点部近傍には、補強用突起（ビード）２１が形成されている。
弾性変形部１３の第１湾曲部１４と第２湾曲部１５の間に位置する連結部２０の両側部分には、左右対称な部分に位置して変位規制用突起２２、２２が突設されている。
【００１８】
ハウジング３０は外形が略横長直方体状に形成され、このハウジング３０には、３個のコンタクト１０を収容するためのコンタクト収容室３１〜３１が長手方向に沿って所定ピッチで形成されている。
【００１９】
コンタクト収容室３１は前面側、底面側及び上面側が開口し、前面側から見た左右の内壁面には、弾性変形部１３の変位規制用突起２２、２２と契合するための、一対の変位規制用係合溝３２、３２が形成されている。
各変位規制用係合溝３２は、底面側（図１では下側）に向かって開口し、溝幅は底面側に向かって途中まで一定に形成され、途中から開口側へ向かうにつれて漸次幅広となるように形成されている。
【００２０】
コンタクト収容室３１の前面側から見た左右の内壁面には、奥側の内壁面と交差する隅部に位置して、圧入されたコンタクト１０の保持部１１を保持するための圧入用係合溝３３、３３が形成されている。
コンタクト収容室３１の前面側から見た左側の壁の内側には、圧入されたコンタクト１０の連結部１６を収容するための連結部収容部３４が形成され、この連結部収容部３４は底面側へ向かって開口するとともに、対応する変位規制用係合溝３２及び圧入用係合溝３３と連通している。
【００２１】
ハウジング３０の前面には、各コンタクト収容室３１の前面側開口部３７の両側縁に位置して一対のヘタリ防止用突起３５、３５が突設されている。このヘタリ防止用突起３５、３５は、ハウジング３０の前面から突出するコンタクト１０の接触部１２に、バッテリーパック５０以外のものから不要な外力が加わってへタリが生じるのを防止するためのものである。
【００２２】
つぎに組み立て方法について説明する。
図１に示すように、ハウジング３０の底面側からコンタクト収容室３１内へコンタクト１０を挿入する。この挿入によって、保持部１１の両側を圧入用係合溝３３、３３に圧入して係止用突起１８，１８、１９，１９を圧入用係合溝３３、３３の内壁に食い込ませて係止するとともに、連結部１６を連結部収容部３４に収容し、さらに弾性変形部１３の変位規制用突起２２、２２を変位規制用係合溝３２、３２に係合し、ハウジング３０内にコンタクト１０が収容保持される。
このようなハウジング３０内へのコンタクト１０〜１０の収容保持によって、各コンタクト１０は、接触部１２が対応するコンタクト収容室３１の前面側開口部３７から前方向へ突出するとともに、接続部１７が対応するコンタクト収容室３１の底面側から下方向へ突出する。
【００２３】
前述のように組み立てられたコネクタ１は、図２に示すようにプリント配線基板Ｐに実装される。具体的には、ハウジング３０のコンタクト収容室３１〜３１に収容保持されたコンタクト１０〜１０の接続部１７〜１７をプリント配線基板Ｐの対応する端子挿入孔に挿入し、半田付けによって基板上の配線パターンに電気的に接続される。例えば、両側のコンタクト１０、１０の接続部１７、１７は電線ラインに、真中のコンタクト１０の接続部１７は信号ラインに電気的に接続される。
【００２４】
つぎに、前述のようにプリント配線基板Ｐに実装されたコネクタ１と、相手方電気機器の一例としてのバッテリーパック５０との電気的な接続時におけるコンタクト１０の変位について、図３を併用して説明する。  
【００２５】
図３に実線で示すように、コネクタ１のコンタクト１０にバッテリーパック５０を押し付け、バッテリーパック５０の電極部５１をコンタクト１０の接触部１２に当接し、ついで、バッテリーパック５０を矢印方向に動かして二点鎖線で示す位置まで移動させ、接触部１２と電極部５１の押圧接触（突き当て接触）を完了させたとすると、コンタクト１０は同図に二点鎖線で示す状態に弾性変形する。
このとき、弾性変形部１３の変位規制用突起２２、２２がハウジング３０の変位規制用係合溝３２、３２に係合して弾性変形部１３の前後方向（図３では左右方向）の変位が規制されているので、弾性変形部１３の第２湾曲部１５の下方向への変位量が図４の従来例より制限されるとともに、接触部１２の上方向への変位量が図４の従来例より大きくなる。このため、第２湾曲部１５とプリント配線基板Ｐの基板面との間隔を小さくして小型化を図ることができるとともに、電極部５１と接触部１２との押圧接触時の摺動距離Ｌを長くして良好な接触状態を得ることができる。
【００２６】
前記実施例では、コネクタの小型化を図りつつ、コンタクトと相手側電気機器の接触部の摺動距離をより長くして良好な接触状態を得ることができるようにするために、第２湾曲部１５の折曲部両側片の開口部分の広がりを折曲部分の広がりより大きく形成した場合について説明したが、本発明はこれに限るものではない。
例えば、第２湾曲部１５の折曲部両側片を平行として、開口部分の広がりを折曲部分の広がりと同一に形成した場合（例えば第２湾曲部１５を略Ｕ字状に形成した場合）についても利用することができる。
【００２７】
前記実施例では、弾性変形部の変位規制をバランス良く行うとともに、コンタクトのコンタクト収容室への組み込み時に、変位規制用突起を変位規制用係合部に容易に係合するために、弾性変形部の変位規制用突起が、連結部２０の両側であって左右対称な位置に突設された一対の変位規制用突起２２、２２からなり、変位規制用係合部が、コンタクト収容室３１の対向する左右の内壁面の変位規制用突起２２、２２に対応した部分に形成された一対の変位規制用係合溝３２、３２からなる場合について説明したが、本発明はこれに限るものではない。
例えば、コンタクトの変位規制用突起を、連結部２０の両側であって左右対称でない両側部分に突設した２個若しくは３個以上の変位規制用突起とし、変位規制用係合部を、前記変位規制用突起に係合して変位を規制する変位規制用係合溝や変位規制用係合段部とした場合についても利用することができる。
【図面の簡単な説明】
【００２８】
【図１】本発明によるコネクタ１の一実施例を示すもので、一部を切り欠いて表わした分解斜視図である。
【図２】組み立て後のコネクタ１をプリント配線基板Ｐに実装した状態を示す斜視図である。
【図３】バッテリーパック５０の電極部５１とコンタクト１０の接触部１２の弾性接触時における、コンタクト１０の変形状態を示す断面図である。
【図４】従来例のコネクタ１００を示す断面図である。
【符号の説明】
【００２９】
１…コネクタ
１０…コンタクト
１１…保持部
１２…接触部
１３…弾性変形部
１４…第１湾曲部
１５…第２湾曲部
１７…接続部
２０…連結部
２２…変位規制用突起
３０…ハウジング
３１…コンタクト収容室
３２…変位規制用係合溝
３７…前面側開口部
５０…バッテリーパック（相手側電気機器の一例）
５２…電極部（相手側電気機器の接触部の一例）
【図１】
2005129374.tif 000003
【図２】
2005129374.tif 000004
【図３】
2005129374.tif 000005
【図４】
2005129374.tif 000006